(57)【要約】      （修正有）【課題】低音ヴァイオリン族楽器の自動演奏を可能とする楽器を提供する。【解決手段】ボイスコイル３を固定し、マグネット１とヨーク２をダンパー５によって振動可能構造とした低音振動型スピーカーＸの振動を、一端を低音振動型スピーカーに連結し、二股に分枝した他端で低音ヴァイオリン族楽器の駒を挟む振動伝達体Ｙが、その両分枝基部に横方向の開口を備えたことによって、両分枝が復元弾性力を利用して駒を挟み、電気音声信号によって振動する低音振動型スピーカーの振動を低音ヴァイオリン族楽器の駒に効率よく伝導し、駒の振動によって低音ヴァイオリン族楽器が擦弦と同様に正規の発音をする。【選択図】図１
0003159576.tif 000002
【実用新案登録請求の範囲】
【請求項１】
ボイスコイルを固定した低音振動型スピーカーと、
一端を前記低音振動型スピーカーに連結し、二股に分枝した他端で低音ヴァイオリン族楽器の駒を挟む振動伝達体であって、その両分枝基部に横方向の開口を備えたことによって、両分枝が復元弾性力を利用して駒を挟む形状の振動伝達体と、
駒の振動により発音する低音ヴァイオリン族楽器と
より成る低音自動ヴァイオリン族楽器。
【考案の詳細な説明】
【技術分野】
【０００１】
本考案は、チェロやコントラバスのような低音ヴァイオリン族楽器を自動演奏する技術に関するものである。
【背景技術】
【０００２】
考案者はすでに、圧電素子をヴァイオリン族楽器の駒に固定し、音声信号によって生じる圧電素子の振動によってヴァイオリン族楽器を自動演奏する技術を開示している（特許文献１，２）。
これらの技術は、ヴァイオリンやヴィオラなどの高音域あるいは中音域楽器の自動演奏には十分であった。
【０００３】
しかし、この技術をチェロやコントラバスのような低音ヴァイオリン族楽器の自動演奏に適用すると、低周波域の音声信号に対応した低音の発生を十分に得ることができなかった。その原因の第１は、圧電素子自体の周波特性が比較的高音域に限定されていることであり、また原因の第２は、圧電素子の振動エネルギーが比較的に小さいため、低音楽器に低周波域振動を起こさせるエネルギーが不足であるためであった。
【０００４】
このほか、低音ヴァイオリン族楽器の自動演奏に関しては、低音振動用のスピーカをヴァイオリン族楽器の胴体に取り付けて自動演奏をする技術も開示されている（特許文献３）。
【０００５】
しかしこの技術は、弦の振動が駒を介して楽器の本体に伝わることによって、楽器の各部位が発音するという、ヴァイオリン族楽器本来のシステマティックな発音機構を無視しているため、音声信号の忠実な再生ができないという欠点があった。
【先行技術文献】
【特許文献】
【０００６】
【特許文献１】特開２００８−０３４９９８号公報
【特許文献２】特開２００９−０４９６５６号公報
【特許文献３】特開２００４−１２９０５８号公報
【考案の概要】
【考案が解決しようとする課題】
【０００７】
解決しようとする問題点は、従来技術では低音ヴァイオリン族楽器の自動演奏ができなかった点である。
【課題を解決するための手段】
【０００８】
本考案は、音声信号による低周波域振動型スピーカの振動を振動伝達体によって駒に正しく伝達することを最も主要な特徴とする。
【考案の効果】
【０００９】
本考案の低音自動ヴァイオリン族楽器は、音声信号による低周波域振動型スピーカの振動を振動伝達体によって駒に正しく伝達するので、低音ヴァイオリン族楽器の正しい低音域発音が得られるという利点がある。
【図面の簡単な説明】
【００１０】
【図１】図１は低音振動型スピーカーと振動伝達体の構成を示した説明図である。（実施例１）
【図２】図２は低音振動型スピーカーと振動伝達体のその他の構成を示した説明図である。（実施例２）
【図３】図３は低音振動型スピーカーと振動伝達体を低音ヴァイオリン族楽器の駒に取り付けた説明図である。（実施例１，２）
【考案を実施するための形態】
【００１１】
低音ヴァイオリン族楽器を正しく自動演奏するという目的を、低周波域振動型スピーカーの振動を振動伝達体によって駒に正しく伝達する構成によって実現した。
【実施例１】
【００１２】
図３は、本考案低音自動ヴァイオリン族楽器の１実施例の断面図であって、低音振動型スピーカーと振動伝達体の結合体１５を、低音自動ヴァイオリン族楽器１７の駒１６に取り付けた説明図である。
【００１３】
図１は、実施例１の低音振動型スピーカーＸと振動伝達体Ｙの構成を示した説明図であり、Ａは断面図、Ｂは下方より見た底面図である。
【００１４】
図１の１〜８は、低音振動型スピーカーＸの構成を示し、マグネット１と、柱状のヨーク２と、ヨーク２の底面プレート２−１と、ヨーク２の上面プレート２−２と、ボイスコイル３と、ヨーク２とマグネット１を外枠６に連結するダンパー５と、ボイスコイル３を固定する固定枠７と、保護カバー８から構成されている。なお、４はボイスコイル３への電気音声信号入力線である。
【００１５】
以上の構成により、図１の低音振動型スピーカーＸは、ボイスコイル３が固定されているために、電気音声信号に応じて発生する磁力に応じて、ヨーク２とマグネット１が振動する。振動は、ダンパー５を介して外枠６に伝導し、外枠６が振動する。この振動は、電気音声信号に応じて質量が比較的大きなヨーク２とマグネット１が振動するために、ボイスコイルが振動する一般的なダイナミックスピーカーよりもエネルギーの大きな低音を発生することを特徴としている。
【００１６】
外枠６の振動は、低音振動型スピーカーＸと振動伝達体Ｙを固定するビス９を介して振動伝達体Ｙに伝導する。振動伝達体Ｙは、他端１０が二股に分枝し、両分枝の基部に横方向の開口を備えた形状にすることにより、両分枝が復元弾性力を利用して駒１１を挟む形状を有している。
【００１７】
図３に示したように、低音振動型スピーカーと振動伝達体の結合体１５を低音ヴァイオリン族楽器の駒１６に取り付けると、低音振動型スピーカーの比較的低音域の振動によって低音ヴァイオリン族楽器１７が発音する。この発音は、弓による擦弦運動と同様に、駒を通じて、楽器の表板と裏板に伝達され、表板と裏板が振動することによって発せられるものであるから、楽器は正統的な鳴動を行う。ソースに保存された正規の音声信号は、このような楽器内各部それぞれの正統的な振動によって正しく再生されるものである。振動式スピーカーを裏板などに取り付ける方法が開示されているが（特許文献３）、そのような異端的な取り付け方式では、歪んだ音が発生し、正しい音源再生はできないものである。
【実施例２】
【００１８】
図２は、本考案の第２実施例の低音振動型スピーカーＸと振動伝達体Ｙの構成を示す説明図であり、Ａは低音振動型スピーカーＸと振動伝達体Ｙの断面図である。またＢは下方より見た底面図である。
【００１９】
この実施例は、図２において示したように、実施例１の外枠６に空隙１４で開口部をつくり、固定ビス１３によって振動伝達体Ｘをヨークに直接結合した構成である。この連結方法以外、各部材の役割および機能は実施例１とまったく同様であるため、説明を省略する。
【００２０】
実施例２は、実施例１に比べて、マグネットとヨークの振動を直接的に振動伝達体に伝導するので、電気音声信号に応じたより忠実な振動により、低音ヴァイオリン族楽器を発音させることができる。
【産業上の利用可能性】
【００２１】
低音振動型スピーカーによって発生した低音振動を振動伝達体を介してヴァイオリン族楽器の駒に伝導することによって、チェロやコントラバスなどの低音ヴァイオリン族楽器の自動演奏に適用できる。
【符号の説明】
【００２２】
Ｘ    低音振動式スピーカー
１    マグネット
２    ヨーク
３    ボイスコイル
Ｙ    振動伝達体
【図１】
0003159576.tif 000003
【図２】
0003159576.tif 000004
【図３】
0003159576.tif 000005